(57)【特許請求の範囲】
【請求項１】
回転力に基づいた力を搬送対象の紙葉に作用する搬送ローラと、
前記搬送ローラとの間に前記搬送対象の紙葉を挟持し前記搬送ローラの回転力に基づいた力を受けて回転する押圧ローラと、
前記押圧ローラに当該押圧ローラの中心軸に沿って伸長形成されているシャフト挿通孔に挿通されるローラシャフトと、
前記押圧ローラの側端面と間隔を介し、前記紙葉の搬送方向に沿うように設置され、前記搬送対象の紙葉の側端縁が当接することによって当該紙葉の搬送をガイドするガイド壁と
を備え、
前記ローラシャフトは、両端側よりも中央部が太い形状を備え、
前記押圧ローラの一方の前記側端面の側を左側とし、他方の前記側端面の側を右側とするとき、前記ガイド壁が前記左側に設置されている場合には、前記シャフト挿通孔の内壁面における前記中心軸方向の前記中央部よりも前記右側にずれた位置に、一方、前記ガイド壁が前記右側に設置されている場合には、前記シャフト挿通孔の内壁面における前記中心軸方向の前記中央部よりも前記左側にずれた位置に、凹部が形成されている紙葉搬送装置。
【請求項２】
前記凹部は、前記シャフト挿通孔の内壁面を周回する態様でもって形成されている請求項１に記載の紙葉搬送装置。
【請求項３】
複数の前記搬送ローラが前記搬送対象の紙葉を搬送する搬送方向に直交する方向に互いに間隔を介して配列されており、
前記各搬送ローラに個別に対応する前記押圧ローラが配置され、各押圧ローラにおける前記シャフト挿通孔の内壁面には同じ位置に前記凹部が形成されている請求項１又は請求項２に記載の紙葉搬送装置。
【請求項４】
複数の前記搬送ローラが前記搬送対象の紙葉を搬送する方向に互いに間隔を介して配列されており、
前記各搬送ローラに個別に対応する前記押圧ローラが配置され、各押圧ローラにおける前記シャフト挿通孔の内壁面には同じ位置に前記凹部が形成されている請求項１又は請求項２又は請求項３に記載の紙葉搬送装置。
【請求項５】
前記搬送ローラと前記押圧ローラに挟持される前の前記搬送対象の紙葉に前記ガイド壁に向かう方向の力を作用する補正ローラがさらに備えられている請求項１乃至請求項４の何れか一つに記載の紙葉搬送装置。
【請求項６】
回転力に基づいた力を搬送対象の紙葉に作用する搬送ローラと、前記搬送ローラとの間に前記搬送対象の紙葉を挟持し前記搬送ローラの回転力に基づいた力を受けて回転する押圧ローラと、前記押圧ローラに当該押圧ローラの中心軸に沿って伸長形成されているシャフト挿通孔に挿通されるローラシャフトと、前記押圧ローラの側端面と間隔を介し、前記紙葉の搬送方向に沿うように設置され、前記搬送対象の紙葉の側端縁が当接することによって当該紙葉の搬送をガイドするガイド壁とを備えている装置における前記ローラシャフトを、両端側よりも中央部が太い形状にし、
前記押圧ローラの一方の前記側端面の側を左側とし、他方の前記側端面の側を右側とするとき、前記ガイド壁が前記左側に設置されている場合には、前記シャフト挿通孔の内壁面における前記中心軸方向の前記中央部よりも前記右側にずれた位置に、一方、前記ガイド壁が前記右側に設置されている場合には、前記シャフト挿通孔の内壁面における前記中心軸方向の前記中央部よりも前記左側にずれた位置に、凹部を形成し、
前記凹部に起因した力によって、前記搬送対象の紙葉における側端縁を前記ガイド壁に添わせながら前記搬送対象の紙葉を搬送する紙葉搬送方法。
【発明の詳細な説明】
【技術分野】
【０００１】
本発明は、ローラを用いて紙葉を搬送する技術に関する。
【背景技術】
【０００２】
図７は、紙葉搬送装置において、紙葉を搬送する主要な構成部分の一例を説明する図である。この例においては、紙葉搬送装置は、搬送ローラ５５と、押圧ローラ５６とを有し、これらローラ５５，５６を利用して紙葉６０を搬送する構成を備えている。図８は、図７における上方側から搬送ローラ５５を含む構成部分を見た態様を表す図である。
【０００３】
図８の例では、複数の搬送ローラ５５が紙葉６０を搬送する方向Ａに直交する方向に互いに間隔を介して配置され、これら搬送ローラ５５は共通の回転シャフト５７に取り付けられている。また、搬送ローラ５５が取り付けられている複数の回転シャフト５７が、紙葉６０の搬送方向Ａに配列配置されている。回転シャフト５７は、その中心軸を中心にして回転可能な状態で支持部材（図示せず）に支持されている。搬送ローラ５５は、回転シャフト５７と一体化しており、回転シャフト５７の回転と一体的に回転する。
【０００４】
さらに、複数の回転シャフト５７は、例えばモータ等の駆動装置（図示せず）に共通に接続されており、駆動装置の駆動力によってその中心軸を中心にして同じ回転数でもって同方向に回転する。
【０００５】
押圧ローラ５６は、各搬送ローラ５５に個別に対向して配置される。押圧ローラ５６には、押圧機構（図示せず）によって搬送ローラ５５に向かう方向の力が作用する構成となっており、その力によって押圧ローラ５６は搬送ローラ５５に押し付けられる。これにより、搬送ローラ５５と押圧ローラ５６は、搬送対象の紙葉６０を挟持できる。
【０００６】
上記のような搬送ローラ５５と押圧ローラ５６を備えた紙葉搬送装置においては、搬送ローラ５５と押圧ローラ５６により挟持された紙葉６０は、駆動装置による搬送ローラ５５の回転力を受けることにより、搬送方向Ａに進行する（搬送される）。この際、その紙葉６０の進行に連れて押圧ローラ５６がその中心軸を回転中心にして回転する。
【０００７】
ところで、紙葉６０が長方形（正方形を含む）である場合に、搬送ローラ５５と押圧ローラ５６は、紙葉６０を、その側端縁６０Ａと搬送方向Ａがほぼ平行となる姿勢でもって搬送できることが好ましい。しかしながら、紙葉６０が図８の点線に表されるように搬送方向Ａに対して傾いた姿勢でもって搬送される場合がある。このような紙葉６０の傾き搬送は、搬送ローラ５５や押圧ローラ５６の寸法ばらつき等の複数の要因に因る。
【０００８】
特許文献１には、そのような紙葉の傾き搬送を防止する構成が提案されている。この提案では、紙葉搬送装置には、紙葉の傾き量（曲がり量）を検知するセンサが設けられている。また、紙葉の搬送方向に直交する方向に並設されている複数の搬送ローラ（ステアリングローラ）は、別々の駆動装置によって回転する構成となっている。さらに、紙葉搬送装置に設けられている制御装置は、センサによって検知された傾き量が無くなるように、各駆動装置における搬送ローラ（ステアリングローラ）の回転量をそれぞれ制御する。これにより、紙葉の傾きが修正される。
【先行技術文献】
【特許文献】
【０００９】
【特許文献１】特開２０１３−６７４５６号公報
【発明の概要】
【発明が解決しようとする課題】
【００１０】
特許文献１における提案では、紙葉の傾きを検知するセンサと、搬送ローラを回転する複数の駆動装置とを紙葉搬送装置に設ける必要がある。これにより、特許文献１における紙葉搬送装置には、複数の駆動装置を設けることにより、搬送ローラを回転する駆動装置が１つで済む場合に比べて、構成部品が増加し、また、大型化する虞があるという問題が生じる。また、制御装置は、センサの検知結果に基づいて、各駆動装置を個別に制御する必要があるために、駆動装置の制御が煩雑化する虞がある。
【００１１】
本発明は上記のような課題を解決するために考え出された。すなわち、本発明の主な目的は、部品点数の増加と装置の大型化と制御の煩雑化を抑制しつつ、紙葉が傾いた状態で搬送される傾き搬送を防止する技術を提供することにある。
【課題を解決するための手段】
【００１２】
上記目的を達成するために、本発明の紙葉搬送装置は、
回転力に基づいた力を搬送対象の紙葉に作用する搬送ローラと、
前記搬送ローラとの間に前記搬送対象の紙葉を挟持し前記搬送ローラの回転力に基づいた力を受けて回転する押圧ローラと、
前記押圧ローラに当該押圧ローラの中心軸に沿って伸長形成されているシャフト挿通孔に挿通されるローラシャフトと、
前記搬送対象の紙葉の側端縁が当接することによって当該紙葉の搬送をガイドするガイド壁と
を備え、
前記ローラシャフトは、両端側よりも中央部が太い形状を備え、
前記押圧ローラにおける前記シャフト挿通孔の内壁面には、前記ガイド壁と前記押圧ローラとの位置関係に基づいて定まる位置に、凹部が形成されている。
【００１３】
本発明の紙葉搬送方法は、
回転力に基づいた力を搬送対象の紙葉に作用する搬送ローラと、前記搬送ローラとの間に前記搬送対象の紙葉を挟持し前記搬送ローラの回転力に基づいた力を受けて回転する押圧ローラと、前記押圧ローラに当該押圧ローラの中心軸に沿って伸長形成されているシャフト挿通孔に挿通されるローラシャフトと、前記搬送対象の紙葉の側端縁が当接することによって当該紙葉の搬送をガイドするガイド壁とを備えている装置における前記ローラシャフトを、両端側よりも中央部が太い形状にし、
前記押圧ローラにおける前記シャフト挿通孔の内壁面には、前記ガイド壁と前記押圧ローラとの位置関係に基づいて定まる位置に、凹部を形成し、
前記凹部に起因した力によって、前記搬送対象の紙葉における側端縁を前記ガイド壁に添わせながら前記搬送対象の紙葉を搬送する。
【発明の効果】
【００１４】
本発明によれば、部品点数の増加と装置の大型化と制御の煩雑化を抑制しつつ、紙葉が傾いた状態で搬送される傾き搬送を防止できる。
【図面の簡単な説明】
【００１５】
【図１】本発明に係る第１実施形態の紙葉搬送装置の構成を説明する図である。
【図２】本発明に係る第２実施形態の紙葉搬送装置の構成を説明する図である。
【図３】図２に表されている構成の側面図である。
【図４】第２実施形態の紙葉搬送装置が備える押圧ローラの模式的な断面図である。
【図５】押圧ローラを説明する図である。
【図６】本発明に係るその他の実施形態の紙葉搬送装置の構成を説明する図である。
【図７】紙葉搬送装置の主要な構成部分の一例を図８と共に説明する図である。
【図８】紙葉搬送装置の主要な構成部分の一例を図７と共に説明する図である。
【発明を実施するための形態】
【００１６】
以下に、本発明に係る実施形態を図面を参照しつつ説明する。
【００１７】
＜第１実施形態＞
図１（ａ）は、本発明に係る第１実施形態の紙葉搬送装置の構成を説明する断面図であり、図１（ｂ）は、図１（ａ）に表されている構成部分の模式的な側面図である。
【００１８】
第１実施形態の紙葉搬送装置は、搬送ローラ２と、押圧ローラ３と、ローラシャフト４と、ガイド壁５とを有している。搬送ローラ２は、駆動装置（図示せず）に接続され、この駆動装置の駆動力により回転するローラであり、この回転力に基づいた力を搬送対象の紙葉６に作用する。
【００１９】
ガイド壁５は、搬送ローラ２および押圧ローラ３の側端面と間隔を介し、搬送対象の紙葉６の搬送方向Ａに沿うように設置されている。このガイド壁５は、紙葉６の側端縁が当接することによって紙葉６の搬送をガイドする機能を備えている。
【００２０】
押圧ローラ３には、搬送ローラ２に押し付ける方向の力が作用する構成となっており、押圧ローラ３は、その力によって搬送ローラ２に押し付けられる。この押圧ローラ３は、搬送ローラ２との間に搬送対象の紙葉６を挟持する。また、押圧ローラ３は、その中心軸が搬送ローラ２の中心軸と平行又は略平行となるように配置されている。
【００２１】
このような押圧ローラ３には中心軸に沿ってシャフト挿通孔８が伸長形成されている。ローラシャフト４は、そのシャフト挿通孔８に挿通されている。このローラシャフト４は、両端側よりも中央部が太い形状を備えている。
【００２２】
さらに、押圧ローラ３におけるシャフト挿通孔８の内壁面には、凹部１０が形成されている。凹部１０の形成位置は、押圧ローラ３とガイド壁５の位置関係に基づいて定められた位置である。
【００２３】
このような押圧ローラ３は、搬送ローラ２の回転力を受けて、その中心軸（ローラシャフト４）を中心にして回転する。
【００２４】
この第１実施形態の紙葉搬送装置は上記のような構成を備えている。この紙葉搬送装置では、搬送ローラ２と押圧ローラ３に挟持された紙葉６は、搬送ローラ２の回転力を受けて搬送方向Ａに進行する（搬送される）。このとき、押圧ローラ３は、その紙葉６の進行に連れて（つまり、搬送ローラ２の回転力を紙葉６を介し受けて）回転する。この押圧ローラ３のシャフト挿通孔８の内壁面には凹部１０が形成されており、ローラシャフト４は凹部１０の開口端縁と点状に接触する。このため、ローラシャフト４を中心にして押圧ローラ３が回転している際に、凹部１０が形成されている部分の回転（転がり）抵抗は、凹部１０が形成されていない場合に比べて大きくなる。これにより、凹部１０の形成位置等を調整することにより、シャフト挿通孔８における回転抵抗が大きくなる部分の位置が調整される。押圧ローラ３におけるその回転抵抗が大きい部分は、他の回転抵抗が小さい部分よりも紙葉６の搬送量が小さくなる。このことに起因して、まず、紙葉６が搬送方向Ａに対して傾いた姿勢となるが、この傾きによって紙葉６の側端縁がガイド壁５に当接する。この状態で、紙葉６の搬送を継続することにより、紙葉６の側端縁がガイド壁５に倣う結果、紙葉６は、傾きが修正される。
【００２５】
すなわち、第１実施形態の紙葉搬送装置は、部品点数の増加と装置の大型化と制御構成の煩雑化を抑制しながら、紙葉６の傾き搬送を防止できる。紙葉６の搬送の下流側において当該紙葉６に文字を印刷する等の処理が行われる場合に、紙葉６が傾いていると、当該紙葉６に印刷された文字が傾いたり、印刷の開始位置が指定されている位置からずれるという問題が発生する。これに対し、この第１実施形態の紙葉搬送装置では、紙葉６の傾き搬送が防止されるので、そのような問題の発生を回避できる。
【００２６】
＜第２実施形態＞
以下に、本発明に係る第２実施形態を説明する。
【００２７】
図２は、第２実施形態の紙葉搬送装置の構成を簡略化して表す平面図である。図３は、図２の下方側から見た図２における構成部分を表す側面図である。第２実施形態の紙葉搬送装置２０は、長方形（正方形を含む）の紙葉２７を搬送方向Ａに搬送する装置である。この紙葉搬送装置２０は、搬送ローラ２１と、回転シャフト２２と、押圧ローラ２３と、ローラシャフト２４と、ガイド壁２５とを有している。
【００２８】
この第２実施形態では、搬送ローラ２１は弾性材料（例えばゴム）により構成されている。また、搬送方向Ａに直交する方向に複数（３個）の搬送ローラ２１が互いに間隔を介し、かつ、中心軸を同軸上にして配置されており、これら搬送ローラ２１の中心部には、共通の回転シャフト２２が挿通されている。回転シャフト２２はそれら搬送ローラ２１と一体化されている。この第２実施形態では、搬送ローラ２１と一体化した複数の回転シャフト２２が搬送方向Ａに互いに間隔を介して並設されている。また、複数の回転シャフト２２は、駆動装置２８に共通に接続されている。駆動装置２８は、例えばモータであり、回転シャフト２２が中心軸を中心にして回転する動力源である。この駆動装置２８の駆動力によって、全ての搬送ローラ２１は、同じ回転方向および同じ回転数でもって回転する。
【００２９】
押圧ローラ２３は、非弾性材料（例えばプラスチック）により構成されており、各搬送ローラ２１に個別に対向して配置されている。この第２実施形態では、紙葉搬送装置２０には、各押圧ローラ２３を個別に収容する複数のローラケース３０が設けられている。各ローラケース３０は、固定部材（図示せず）に固定されている。各押圧ローラ２３は、搬送ローラ２１に対向している一部分がローラケース３０から搬送ローラ２１側に突出した状態でローラケース３０に収容されている。各押圧ローラ２３は、その中心軸が、対向している搬送ローラ２１の中心軸と平行あるいは略平行となるように、配設される。
【００３０】
図４は、押圧ローラ２３を、中心軸を含む平面で切った場合における押圧ローラ２３の断面図である。各押圧ローラ２３には、中心軸に沿って伸びるシャフト挿通孔３３が形成されている。このシャフト挿通孔３３の孔径は、孔の長さ方向の位置によらずに同様である。シャフト挿通孔３３にはローラシャフト２４が挿通されている。この第２実施形態では、ローラシャフト２４は、両端側よりも中央部が太い形状（クラウン形状）となっている。
【００３１】
ローラシャフト２４の両端側は、搬送ローラ２１に対する遠近方向に移動可能な状態でローラケース３０に支持されている。また、ローラケース３０の内部には、例えばスプリング等の弾性部材（図示せず）が設けられており、この弾性部材によって、ローラシャフト２４には、搬送ローラ２１に向かう方向の付勢力が作用している。この付勢力は、ローラシャフト２４を介して押圧ローラ２３に作用し、押圧ローラ２３を搬送ローラ２１に押し付ける。このような押圧ローラ２３は、搬送ローラ２１との間に搬送対象の紙葉２７を挟持する。
【００３２】
この第２実施形態では、搬送ローラ２１と押圧ローラ２３により挟持された紙葉２７は、駆動装置２８による搬送ローラ２１の回転力を受けることにより、搬送方向Ａに進行する。また、この紙葉２７の進行に連れて押圧ローラ２３が回転する。この紙葉搬送装置２０には、そのように搬送ローラ２１と押圧ローラ２３により搬送される紙葉２７の紙面に添うように紙葉２７の表裏両面側をガイドするガイド面３１が配設されている。
【００３３】
ガイド壁２５は、そのガイド面３１の端縁部に立設されている。当該ガイド壁２５は、紙葉２７を搬送する搬送方向Ａに沿う壁面２５Ａを備えている。この第２実施形態では、ガイド壁２５は、その壁面２５Ａに紙葉２７の側端縁を添わせて紙葉２７が搬送されることにより、紙葉２７の搬送をガイドする。
【００３４】
ところで、押圧ローラ２３は、一端側から他端側にかけて同じ太さであることが好ましい。これに対し、押圧ローラ２３には、製造精度に起因して、図５に表されているような寸法ばらつきが生じる。つまり、図５に表されている押圧ローラ２３は、一端側（以下、説明を分かり易くするために右端側と記す）の太さが他端側（以下、左端側と記す）よりも細い（右端側の径が左端側の径よりも小さい）態様となっている。このような押圧ローラ２３の寸法ばらつきは、紙葉２７が搬送方向Ａに対して傾いた姿勢でもって搬送される傾き搬送の原因の一つになる。この第２実施形態では、そのような押圧ローラ２３の寸法ばらつきに起因した紙葉２７の傾き搬送を改善する手法として、ローラシャフト２４が、前述したように、両端側よりも中央部が太い形状（クラウン形状）となっている。
【００３５】
つまり、紙葉２７の傾き搬送を抑制するためには、押圧ローラ２３は、ローラの幅方向に紙葉２７に線状に接触することが好ましい。しかし、押圧ローラ２３に前述したような寸法ばらつきがある場合には、当該押圧ローラ２３は、紙葉２７に点状に接触する虞がある。
【００３６】
これに対し、ローラシャフト２４がクラウン形状であることにより、ローラシャフト２４の太い部分が押圧ローラ２３のシャフト挿通孔３３の内壁面に点接触する。そして、ローラシャフト２４に付与されている弾性部材の付勢力によって、その点接触部分を基にして押圧ローラ２３の外周面が搬送ローラ２１の外周面に倣う。つまり、押圧ローラ２３は線状に紙葉２７に接触することとなる。
【００３７】
しかしながら、押圧ローラ２３に寸法ばらつきがある場合には、そのように押圧ローラ２３が紙葉２７に線状に接触できても、紙葉２７を傾けて搬送してしまうことに本発明者は気付いた。つまり、押圧ローラ２３において例えば図５に表されるように左端側と右端側の径が異なる場合には、ローラシャフト２４は、まず、押圧ローラ２３のシャフト挿通孔３３の内壁面における径が大きい側において点接触する。この状態から、ローラシャフト２４の左右両端側に弾性部材による同様な大きさの付勢力が作用することにより、その点接触部分から遠い側のローラシャフト２４のモーメントが大きくなる結果、ローラシャフト２４が傾く。そして、ローラシャフト２４は、シャフト挿通孔３３の内壁面における左右の中央部において点接触状態となり、この状態でもって安定する。
【００３８】
しかし、この状態では、ローラシャフト２４の中心軸Ｐから押圧ローラ２３における紙葉２７に接触している外周面部分までの長さは、左右で異なることとなり、これにより、押圧ローラ２３における回転半径が左右で異なる。このため、搬送ローラ２１の回転駆動による紙葉２７の進行に連れて押圧ローラ２３が回転した際に、押圧ローラ２３の回転半径の小さい方における紙葉２７の搬送量が回転半径の大きい方よりも小さくなる。換言すれば、紙葉２７に対する押圧ローラ２３の搬送負荷は、回転半径の小さい方が回転半径の大きい方よりも大きくなる。これにより、紙葉２７が搬送方向Ａに対して傾きながら搬送されてしまう事態が発生してしまう。
【００３９】
このような事態を考慮し、本発明者は次のような構成を考え出した。すなわち、この第２実施形態では、図４に表されるような凹部（溝部）３５が押圧ローラ２３のシャフト挿通孔３３の内壁面に当該内壁面を周回する態様でもって形成されている。この凹部３５の形成位置は、押圧ローラ２３の中央部よりも図４に表される左側あるいは右側にずれた位置である。このずれる方向およびずれ量は、ガイド壁２５と押圧ローラ２３との位置関係に基づいて定まる。また、そのずれ量や、凹部３５の幅は、ローラシャフト２４のクラウン形状外周面の曲率等をも考慮して設計される。
【００４０】
すなわち、ローラシャフト２４がシャフト挿通孔３３の内壁面に線接触している状態において、シャフト挿通孔３３の内壁面に凹部３５が形成されていることにより、ローラシャフト２４はその凹部３５の開口端縁においては点接触状態となる。例えば、図４のように、凹部３５がシャフト挿通孔３３の中央部よりも右側にずれている場合には、凹部３５の開口端縁と内壁面との点接触により、ローラシャフト２４とシャフト挿通孔３３の内壁面との回転（転がり）抵抗は、左側よりも右側が大きくなる。このため、押圧ローラ２３の右側は左側よりも回転しづらくなり、これにより、紙葉２７に対する押圧ローラ２３の右側の搬送抵抗が左側よりも大きくなる。これにより、紙葉２７は、押圧ローラ２３によって搬送方向Ａに対し右側に傾く。
【００４１】
この第２実施形態では、押圧ローラ２３の図４における左側にガイド壁２５が配置されていることから、上記のような紙葉２７の傾きにより、紙葉２７の後端側がガイド壁２５に当接する。この当接による反作用の力が紙葉２７に作用している状態で、紙葉２７の搬送を継続することにより、紙葉２７の左側端縁がガイド壁２５に倣っていき、結果として、紙葉２７は、傾きが修正される。
【００４２】
このように、紙葉搬送装置２０は、押圧ローラ２３のシャフト挿通孔３３の内壁面に設けた凹部３５と、ガイド壁２５とにより、紙葉２７の傾きを修正することができる。その凹部３５の形成位置は、具体的には、押圧ローラ２３とガイド壁２５との位置関係に基づいて、例えば、実験やシミュレーション等により次のように定められる。つまり、紙葉２７の後端側からガイド壁２５に倣わせたい場合であって、押圧ローラ２３よりも左側にガイド壁２５が配置されている場合には、凹部３５は、シャフト挿通孔３３における中央部よりも右側にずれた位置に配置される。また、紙葉２７の後端側からガイド壁２５に倣わせたい場合であって、押圧ローラ２３よりも右側にガイド壁２５が配置されている場合には、凹部３５は、シャフト挿通孔３３における中央部よりも左側にずれた位置に配置される。
【００４３】
この第２実施形態では、複数の押圧ローラ２３が設けられており、これら全ての押圧ローラ２３におけるシャフト挿通孔３３の内壁面において同様の凹部３５が形成されている。
【００４４】
この第２実施形態の紙葉搬送装置２０では、上記のように、押圧ローラ２３に挿通されるローラシャフト２４がクラウン形状（太鼓形状）である。また、押圧ローラ２３のシャフト挿通孔３３の内壁面には凹部３５が形成され、かつ、ガイド壁２５が設けられている。これらの構成により、紙葉搬送装置２０は、押圧ローラ２３の寸法ばらつきに起因した紙葉２７の傾き搬送を抑制することができる。これにより、紙葉搬送装置２０は、当該紙葉搬送装置２０により搬送された紙葉２７に対して施される処理（例えば印字処理）において、傾き搬送に起因した不具合を回避することができる。
【００４５】
＜その他の実施形態＞
なお、本発明は第１と第２の実施形態に限定されずに様々な実施の形態を採り得る。例えば、第２実施形態の構成に加えて、図６に表されるような補正ローラ３７が設けられている紙葉搬送装置にも本発明を適用することができる。
【００４６】
図６に表されている紙葉搬送装置においては、補正ローラ３７は紙葉２７に向けて前進する方向と紙葉２７から後退する方向とに移動可能な状態で配設されている。また、補正ローラ３７をそのような前進方向と後退方向に移動する移動機構が設けられている。補正ローラ３７は、紙葉２７にガイド壁２５に向かう（寄せる）方向の力を回転力に基づいて作用するように設置される。
【００４７】
補正ローラ３７は、通常、紙葉２７から後退した位置に待機している。そして、紙葉２７が紙葉搬送装置２０に挿入されて補正ローラ３７に対向したことを例えば光学式センサにより検知した場合に、移動機構が紙葉２７に向けて補正ローラ３７を移動する。そして、補正ローラ３７が紙葉２７に当接した状態で補正ローラ３７が回転することにより、補正ローラ３７は紙葉２７をガイド壁２５側に寄せる方向の力を紙葉２７に作用する。これにより、紙葉搬送装置２０に紙葉２７が傾いた状態で挿入された場合に、その紙葉２７の傾きを補正することができる。その後、移動機構が補正ローラ３７を後退した後に搬送ローラ２１が回転駆動することにより、紙葉２７が搬送ローラ２１と押圧ローラ２３に挟持され、第２実施形態で述べたように、当該搬送ローラ２１と押圧ローラ２３により搬送される。
【００４８】
このような補正ローラ３７を備えた紙葉搬送装置２０においても、第２実施形態と同様の構成を備えることにより、押圧ローラ２３の寸法ばらつきに起因した紙葉２７の傾き搬送を防止することができる。
【００４９】
さらに、第２実施形態では、複数の搬送ローラ２１が取り付けられている回転シャフト２２が複数本設けられている。これに対し、そのような回転シャフト２２が１本だけ配置されている紙葉搬送装置にも本発明は適用することができる。さらに、複数の搬送ローラ２１が搬送方向Ａに沿って１列に配列されている構成を持つ紙葉搬送装置にも本発明は適用することができる。
【００５０】
さらにまた、第２実施形態では、紙葉２７の搬送方向における後端側をガイド壁２５に当接させるように紙葉２７を傾ける凹部３５が形成されている。これに対し、紙葉２７の搬送方向における前端側をガイド壁２５に当接させるように紙葉２７を傾ける凹部３５が形成されてもよい。この場合には、例えば、ガイド壁２５が押圧ローラ２３よりも左側に配置している場合には、凹部３５は、押圧ローラ２３のシャフト挿通孔３３において中央部よりも左側にずれた位置に形成される。また、ガイド壁２５が押圧ローラ２３よりも右側に配置している場合には、凹部３５は、押圧ローラ２３のシャフト挿通孔３３において中央部よりも右側にずれた位置に形成される。
【００５１】
さらに、第２実施形態では、凹部３５は、シャフト挿通孔３３の内壁面を周回する態様を持つ溝部である。これに代えて、例えば、複数の凹部３５がシャフト挿通孔３３の内壁面を周回する方向に間隔を介して配列している態様であってもよい。
【符号の説明】
【００５２】
２，２１  搬送ローラ
３，２３  押圧ローラ
４，２４  ローラシャフト
５，２５  ガイド壁
６，２７  紙葉
８，３３  シャフト挿通孔
１０，３５  凹部
【要約】
【課題】  部品点数の増加と装置の大型化と制御の煩雑化を抑制しつつ、紙葉が傾いた状態で搬送される傾き搬送を防止する。
【解決手段】  紙葉搬送装置は、搬送ローラ２と、押圧ローラ３と、ローラシャフト４と、ガイド壁５とを有する。搬送ローラ２は、回転力に基づいた力を搬送対象の紙葉６に作用する。押圧ローラ３は、搬送ローラ２との間に紙葉６を挟持し搬送ローラ２の回転力に基づいた力を受けて回転する。押圧ローラ３には、押圧ローラ３の中心軸に沿ってシャフト挿通孔８が伸長形成されている。ローラシャフト４は、シャフト挿通孔８に挿通される。ガイド壁５は、紙葉６の側端縁が当接することによって紙葉６の搬送をガイドする。ローラシャフト４は、両端側よりも中央部が太い形状を備えている。押圧ローラ３におけるシャフト挿通孔８の内壁面には、ガイド壁５と押圧ローラ３との位置関係に基づいて定まる位置に、凹部１０が形成されている。
【選択図】      図１【図１】
0006046772.tif 000002
【図２】
0006046772.tif 000003
【図３】
0006046772.tif 000004
【図４】
0006046772.tif 000005
【図５】
0006046772.tif 000006
【図６】
0006046772.tif 000007
【図７】
0006046772.tif 000008
【図８】
0006046772.tif 000009